(57)【要約】【課題】作業時に、ケースが取付基板から脱落することを防止可能な取付構造の提供。【解決手段】ケース１０は、天板部及び４つの壁部にて囲まれた領域を、アンテナを収納する収納空間として形成する本体部と、４つの壁部のうち互いに平行な一対の壁部のそれぞれから、収納空間外から収納空間内へと向かう方向に沿って突設された係合突起１３とを備えている。取付基板２０は、ケース１０が取付基板２０に固定された際にアンテナを接地する基準部と、ケース１０が取付基板２０に固定された際に係合突起１３が係合される被係合部とを備え、被係合部は、基準部から突出した突出片２５と、突出片２５を貫通する係止口を有した開口部２６とからなる。そして、開口部２６の係止口に挿入された係合突起１３が被係合部と当接（係合）し、ケース１０の収納口を閉じるように、ケース１０が取付基板２０に係止された状態となる。【選択図】図８
2009101721.tif 000002
【特許請求の範囲】
【請求項１】
弾性を有する材料からなり、物品を収納するために開口した収納空間を形成するケースを、前記物品が配置される板状の取付基板に、前記取付基板によって前記収納空間の開口が閉じられた状態となるように取り付けるために用いられ、前記ケース側に形成された係合突起と、前記取付基板側に形成され、前記係合突起を係合させる被係合部とからなる取付構造であって、
前記ケースは、
前記収納空間を挟んで対向し、かつ前記取付基板への固定時に前記取付基板に当接する開口縁の一部を形成する対向部位を有し、
前記係合突起は、
前記収納空間外から前記収納空間内へと向かう方向に沿って突設されていることを特徴とする取付構造。
【請求項２】
前記係合突起は、
前記対向部位それぞれの開口縁に突設された支持部の先端部分に設けられ、
前記取付基板には、
前記ケースが前記取付基板に固定される際に前記係合突起それぞれと相対する位置に、前記係合突起を通過可能な形状の被係合孔を形成し、
前記被係合孔を有する部位を前記被係合部とすることを特徴とする請求項１に記載の取付構造。
【請求項３】
前記係合突起は、
前記対向部位それぞれの内壁面に設けられ、
前記被係合部は、
前記ケースが前記取付基板に固定される際に前記係合突起それぞれと相対する位置に、前記ケースが当接する前記取付基板の側に突設され、かつ前記係合突起を挿入可能な形状に形成された挿入部位を有した突出片からなることを特徴とする請求項１に記載の取付構造。
【請求項４】
前記挿入部位には、
前記突出片を貫通する孔が穿設されていることを特徴とする請求項３に記載の取付構造。
【請求項５】
前記挿入部位には、
前記突出片を非貫通な凹部が穿設されていることを特徴とする請求項３に記載の取付構造。
【請求項６】
前記収納空間に収納される物品は、
ＧＰＳ受信アンテナ、ＶＩＣＳ受信アンテナ、ＥＴＣ受信アンテナ、車載電話アンテナのうち、少なくとも一つであることを特徴とする請求項１ないし請求項５のいずれかに記載の取付構造。
【請求項７】
前記取付基板は、
金属材料により形成されていることを特徴とする請求項６に記載の取付構造。
【発明の詳細な説明】
【技術分野】
【０００１】
本発明は、内部に物品を収納するケースを取付基板に固定するための取付構造に関する。
【背景技術】
【０００２】
従来より、ＧＰＳ受信アンテナ、ＶＩＣＳ受信アンテナ、ＥＴＣアンテナを、インストルメントパネルに取り付けるための固定ユニットが知られている。
この種の固定ユニットの中には、図１０（Ｂ）、（Ｃ）に示すように、ＧＰＳアンテナ等の各種アンテナを収納するための収納空間を有したケース１０１と、ケース１０１内に収納された各種アンテナのアースを取り、ケース１０１を固定する取付基板１０２と、その取付基板１０２を固定した上で、インストルメントパネルに予め設けられた取付ボスに固定されるブラケット１０３とからなるものがある（例えば、特許文献１参照）。
【０００３】
ここで、図１１は、ケース１０１が取付基板１０２に固定された状態でのケース１０１と取付基板１０２との断面を拡大した拡大図である。
ケース１０１は、略矩形形状に形成された天板１０４の各辺から同一方向に４つの壁部１０５が連接されたことで収納空間を形成する本体部１０６と、４つの壁部１０５のうち、互いに平行な一対の壁部の端側それぞれから突設された支持部１０７と、各支持部１０７の先端部分から外側（即ち、収納空間とは反対側）に向けて突出した係合突起１０８とを備え、弾性を有した材料（例えば、プラスチック材料等）により一体に形成されている。なお、ケース１０１では、支持部１０７と係合突起１０８とにより、いわゆるスナップフィットが構成されている。また、以下では、４つの壁部１０５のうち、互いに平行な一対の壁部を対向部位と称す。
【０００４】
また、取付基板１０２は、金属製の板状に形成された部材であり、取付基板１０２には、ケース１０１の固定時にスナップフィットを通過可能な孔（以下、被係合孔とする）が穿設されている。
【０００５】
そして、ケース１０１を取付基板１０２に固定する場合、本体部１０６の外側から収納空間へと向かう方向の力（以下、外力と称す）をケース１０１（より正確には、スナップフィット）に加え、スナップフィットを弾性変形させた上で被係合孔を通過させ、スナップフィットが被係合孔を通過した後、ケース１０１に加えられていた外力を解除する。これにより、弾性変形していたスナップフィットが元の形状に戻り、被係合孔の周縁に係合突起１０８が当接し、ケース１０１は取付基板１０２に係止（固定）される。なお、被係合孔の周縁において、係合突起１０８が当接する一部の部位を被係合縁と称す。
【０００６】
さらに、取付基板１０２に固定されたケース１０１は、図１０（Ａ）に示すように、ブラケット１０３に設けられたガイド１０３Ａ（図１０（Ｂ）参照）に、被係合孔に挿嵌されることで被係合孔から突き出た係合突起１０８を嵌め込み、ケース１０１をガイド１０３Ａに沿ってスライドさせることによりブラケット１０３に固定される。なお、以下では、各種アンテナが収納空間内に収納されたケース１０１と、取付基板１０２とを固定したものを、ユニット１００（図１０（Ｃ）参照）と称す。
【０００７】
このようにして、ブラケット１０３に固定されたユニット１００は、取付ボスにネジ等により締結される。
【特許文献１】特開２００４―２７６７７０号公報
【発明の開示】
【発明が解決しようとする課題】
【０００８】
ところで、上述したような従来の固定ユニットは、作業者が持つための把持構造を備えておらず、作業者が固定ユニットを持つ場合には、ケース１０１の対向部位に指をかけて持つ方法（例えば、対向部位間にて挟むように持つ方法）が、最も持ち易い固定ユニットの持ち方となっている。このため、ユニット１００が固定された固定ユニットをインストルメントパネルの取付ボスに固定する場合にも、固定ユニットは、ケース１０１の対向部位に指をかけて持たれることが多い。
【０００９】
このような持ち方をされたケース１０１には、本体部１０６の外側から収納空間へと向かう方向に外力が加わり、スナップフィットが弾性変形する。すると、被係合縁と当接していた係合突起１０８のかかり代が小さくなり、作業者に把持されたケース１０１は、取付基板１０２から脱落するという問題があった。
【００１０】
そこで、本発明は、作業時に、ケースが取付基板から脱落することを防止可能な取付構造を提供することを目的とする。
【課題を解決するための手段】
【００１１】
この「課題を解決するための手段」の欄においては、発明に対する理解を容易にするため、必要に応じて後述する「発明を実施するための最良の形態」の欄において用いた符号を括弧内に付すが、この符号によって請求の範囲を限定することを意味するものではない。
【００１２】
上記目的を達成するためになされた本発明は、弾性を有する材料からなり、物品を収納するために開口した収納空間を形成するケース（１０，４５）を、物品が配置される板状の取付基板（２０，５０）に、取付基板によって収納空間の開口が閉じられた状態となるように取り付けるために用いられ、ケース側に形成された係合突起と、取付基板側に形成され、係合突起を係合させる被係合部（２２，５１）とからなる取付構造である。
【００１３】
そして、本発明の取付構造では、ケースは、収納空間を挟んで対向し、かつ取付基板への固定時に取付基板に当接する開口縁の一部を形成する対向部位（１１Ｂ，Ｄ）を有したものであり、係合突起（１３，４２）が、収納空間外から収納空間内へと向かう方向に沿って突設されている。
【００１４】
このような本発明の取付構造では、ケースを取付基板に係止（固定）する場合、作業者は、ケースに力を加えて、収納空間内から収納空間外へと向かう方向（以下、外向方向とする）にケースを弾性変形させ、被係合部が形成された取付基板の位置まで係合突起を移動させた後、ケースに加えていた力を解除し、係合突起を被係合部に係止させる（以下、係合突起が係止される位置を係止位置とする）。
【００１５】
このように本発明の取付構造により取付基板に取り付けられたケースでは、係合突起が収納空間外から収納空間内へと向かう方向（以下、内向方向とする）に沿って突設されているので、作業者が対向部位を挟みこむようにケースを持つことにより、内向方向にケースが弾性変形したとしても、係合突起は、係止位置に位置し続ける。
【００１６】
したがって、本発明の取付構造により固定されたユニットによれば、インストルメントパネルへの固定作業等のようにケースを持って作業する場合等に、ケースが取付基板から脱落することを防止できる。特に、本発明の取付構造によれば、従来技術と比べて部品点数を増加することが無いため、製造コストや取付作業の工数が大幅に増加することを防止しつつも、上述した効果を得ることができる。
【００１７】
また、本発明の取付構造は、請求項２に記載のように、係合突起（４２）が、対向部位それぞれの開口縁に突設された支持部（４１）の先端部分に設けられ、取付基板には、ケースが取付基板に固定される際に係合突起それぞれと相対する位置に、係合突起を通過可能な形状の被係合孔が形成されると共に、その被係合孔を有する部位を被係合部として構成したものでも良い。
【００１８】
このような取付構造であれば、取付基板には被係合孔を穿設するのみで良いため、製造コストや製造時の加工工程数が、従来の取付構造に比べて増加することを抑制できる。
ところで、本発明の取付構造においても、ユニットをインストルメントパネルに固定する固定作業は、従来技術と同様の方法にてなされる。即ち、固定作業を行う作業者は、インストルメントパネルから取り外されたブラケットに、ケースの端側と当接していない取付基板の側（即ち、背面、以下、非当接面とする）がブラケットと接触するように固定した上で、ブラケットに固定されたユニットをインストルメントパネルに備えられた取付ボスに固定したり、インストルメントパネルに備えられた取付ボスにブラケットを固定したままの状態で、ユニットの非当接面がブラケットと接触するように固定することを行う。
【００１９】
これらのように固定作業を行う場合、非当接面から突出する突出部位が存在しなければ、従来のブラケットと異なり、突出部位を嵌め込むためのガイド等をブラケットに形成する必要が無くなるので、ブラケットを作成する時の手間（加工数）等を削減できる。また、仮に、従来のブラケットと同様に、ブラケットにガイドが設けられていたとしても、突出部位が存在しなければ、そのガイドに突出部位を嵌め込む等の作業が不要となるので、従来の取付構造と異なり、よりスムーズに固定作業を行うことができる。
【００２０】
このため、本発明の取付構造は、請求項３に記載のように、係合突起（１３）が、対向部位（１１Ｂ，Ｄ）それぞれの内壁面に設けられ、被係合部（２２）が、ケース（１０）が取付基板（２０）に固定される際に係合突起（１３）それぞれと相対する位置に、ケース（１０）が当接する取付基板（２０）の側に突設され、かつ係合突起（１３）を挿入可能な形状に形成された挿入部位（２６）を有した突出片（２５）からなるものとして構成されていることが望ましい。
【００２１】
なお、請求項３に記載のような取付構造においては、係合突起は、開口縁に設けられていることが特に望ましい。
また、請求項３に記載の取付構造における挿入部位には、請求項４に記載のように、突出片を貫通する孔が穿設されていても良いし、請求項５に記載のように、突出片を非貫通な凹部が穿設されていても良い。
【００２２】
なお、本発明において、ケース内に収納される物品は、請求項６に記載のように、ＧＰＳ受信アンテナ、ＶＩＣＳ受信アンテナ、ＥＴＣ受信アンテナ、車載電話アンテナのうち、少なくとも一つであることが望ましく、ＧＰＳ受信アンテナ、ＶＩＣＳ受信アンテナ、ＥＴＣ受信アンテナの全てが収納されることが、特に望ましい。なお、一つのケースに収納された状態のＧＰＳ受信アンテナ、ＶＩＣＳ受信アンテナ、ＥＴＣ受信アンテナを、一般的に統合アンテナと称している。
【００２３】
また、請求項６に記載の取付構造における取付基板は、請求項７に記載のように、金属材料によって形成されていることにより、収納空間に収納されたＧＰＳ受信アンテナ、ＶＩＣＳ受信アンテナ、ＥＴＣ受信アンテナ、車載電話アンテナのグランド（接地点）として機能させることができる。
【発明を実施するための最良の形態】
【００２４】
以下に本発明の実施形態を図面と共に説明する。
［第一実施形態］
図１は、本発明の取付構造が適用されたケース、及び取付基板を含む固定ユニットの概略構成を示した斜視図である。
【００２５】
〈全体構成〉
図１に示すように、固定ユニット１は、予め規定された複数のアンテナを収納するケース１０、及びケース１０に収納されたアンテナを接地（即ち、アンテナのアースを取ることが）可能な取付基板２０を少なくとも有したアンテナユニット５と、アンテナユニット５を固定すると共に、インストルメントパネルに予め設けられた取付ボスに固定されるブラケット３０とを備えている。
【００２６】
つまり、固定ユニット１は、ブラケット３０と、複数のアンテナを収納したアンテナユニット５とを組み立てることにより、自動車に備えられたインストルメントパネル内に、複数のアンテナを固定するためのものである。
【００２７】
なお、以下では、固定ユニット１が取り付けられる可能性のある自動車、即ち、取付ボスが備えられたインストルメントパネルを配設した自動車を搭載車両と称す。
〈ブラケット〉
次に、ブラケットについて説明する。
【００２８】
ここで、図２は、ブラケットの概略構成を示した斜視図である。
ブラケット３０は、アンテナユニット５が載置される載置部３１と、載置部３１に載置されたアンテナユニット５を保持する保持部３２と、当該ブラケット３０をインストルメントパネルに固定するための固定部３３とを備えている。なお、ブラケット３０は、人が把持した時の力では変形しない程度の剛性を有した樹脂材料により、各部３１，３２，３３が一体に形成されている。
【００２９】
このうち、載置部３１は、取付基板２０よりも小さな略矩形形状に形成された部位であり、その載置部３１には、一対の平行な端辺（以下、平行端辺とする）に沿って、後述する係合突起１３（図４参照）を嵌め込み可能な少なくとも一対の溝（以下、ガイド溝とする）３４が設けられている。さらに、載置部３１には、アンテナユニット５が載置される面に、断面が三角形状の突起３５が設けられている。
【００３０】
また、保持部３２は、アンテナユニット５が載置部３１に載置された際に、取付基板２０を挟持可能な位置に配設された一対の側面部３５，３６と、アンテナユニット５が載置部３１に載置された際に、取付基板２０と当接可能な位置に配設された橋部３７とを備えている。
【００３１】
側面部３５，３６は、帯板状の部位であり、一端が平行端辺から突出（以下、この突出した一端を突出端とし、他端を通常端とする）するように平行端辺のそれぞれに延設されている。それらの側面部３５，３６それぞれの通常端には、載置部３１との間に、取付基板２０を狭持可能な切込みが形成されている。なお、側面部３５，３６それぞれの通常端において、切込みを有し、側面部３５，３６それぞれと、載置部３１とによって囲まれた部位を狭持部３８Ａ，Ｂと称す。
【００３２】
さらに、橋部３７は、側面部３５，３６の突出端同士を結ぶように渡された部位であり、載置部３１、側面部３５，３６との間に、開口（以下、接地口とする）を形成するように配置されている。
【００３３】
また、固定部３３は、板状の第一板材３３Ａと、第二板材３３Ｂとがそれぞれの一辺にて、予め規定された角度の曲げを有して連接されることで形成された一対の部材であり、側面部３５、３６それぞれから外側（即ち、載置部３１から離れる方向）に向けて突設されている。ただし、第一板材３３Ａそれぞれには、取付ボス７１（図９参照）に固定するための締結具（例えば、ネジや、ボルトなど）８０（図９参照）を挿入可能な孔（以下、締結孔とする）３９が穿設されている。
【００３４】
つまり、このようなブラケット３０では、アンテナユニット５を固定する場合、その固定作業を行う作業者は、まず、アンテナユニット５を載置部３１に配置し、取付基板２０が橋部３７と当接するまで、その配置されたアンテナユニット５をスライドさせる。これにより、ブラケット３０では、取付基板２０に備えられ後述する固定孔２７に突起３５が挿嵌されると共に、取付基板２０に備えられ後述する耳部（図６参照）が狭持部３８Ａ，Ｂに狭持される、即ちアンテナユニット５が係止されることになる。
【００３５】
ここで、図９は、固定ユニット１が取付ボスに固定された状態を示した説明図である。
前述した固定作業により、ブラケット３０に係止されたアンテナユニット５（即ち、固定ユニット１）は、図９に示すように、インストルメントパネル７０から突出した取付ボス７１に締結具８０を用いて締結される。なお、締結具８０を用いてブラケット３０のみを取付ボス７１に予め締結しておき、上述した固定作業により、取付ボス７１に締結されたブラケット３０にアンテナユニット５を係止しても良い。
【００３６】
これらのように、アンテナユニット５がブラケット３０を介してインストルメントパネル７０に固定された場合、取付基板２０が接地口を通じて搭載車両の他の部材（図示せず）と接触し、ケース１０に収納された各アンテナが接地されることになる。
〈アンテナユニット〉
次に、アンテナユニットについて説明する。
【００３７】
ここで、図３（Ａ）は、アンテナユニットの概略構成を示すように、アンテナユニットを上方（ここでは、ケース側から見た方向）から斜視した斜視図であり、図３（Ｂ）は、アンテナユニットの概略構成を示すように、アンテナユニットを下方（ここでは、取付基板側から見た方向）から斜視した斜視図である。
【００３８】
図３（Ａ），（Ｂ）に示すように、アンテナユニット５は、予め規定された複数のアンテナ（図示せず）と、複数のアンテナを収納するケース１０と、ケース１０に収納された各種アンテナのアースを取るための取付基板２０とを備えている。そして、ケース１０と、取付基板２０とは、ケース１０と取付基板２０とのそれぞれに備えられた取付構造により係止（固定）される。
【００３９】
なお、ケース１０内に収納されるアンテナとしては、ＧＰＳ（Ｇｌｏｂａｌ  Ｐｏｓｉｔｉｏｎｉｎｇ  Ｓｙｓｔｅｍ）用の人工衛星からの電波を受信するＧＰＳ受信アンテナ、道路交通情報システム（いわゆるＶＩＣＳ）を構成するインフラ設備からの信号を受信するＶＩＣＳ受信アンテナ、ノンストップ自動料金収受システム（いわゆるＥＴＣ）を構成するインフラ設備からの信号を受信するＥＴＣアンテナが挙げられる。そして、本実施形態では、ＧＰＳ受信アンテナ、ＶＩＣＳ受信アンテナ、ＥＴＣアンテナの全てがケース１０内に収納されるものとする。
〈ケース〉
次に、ケース１０について説明する。
【００４０】
ここで、図４は、ケースの概略構成を示した斜視図であり、図５は、ケースに設けられ、後述する係合部を予め規定された基準断面にて切断した断面の拡大図である。
図４に示すように、ケース１０は、ＧＰＳ受信アンテナ、ＶＩＣＳ受信アンテナ、ＥＴＣアンテナ（以下、各種アンテナとも称す）が収納される収納空間を形成する本体部１１と、ケース１０を取付基板２０に固定するための係合部１２とを備え、人が把持した時の力で弾性変形する程度の剛性を有した材料（例えば、プラスチック材料等）により一体に形成されている。
【００４１】
このうち、本体部１１は、略矩形形状に形成された板状の天板部１１Ａと、天板部１１Ａの各辺から同一方向に向けて連接され、それぞれ略矩形形状に形成された４つの壁部１１Ｂ〜Ｅとを備え、天板部１１Ａと壁部１１Ｂ〜Ｅとは一体に形成されている。なお、壁部１１Ｂ〜Ｅのそれぞれは、壁部１１Ｂ〜Ｅの天板部１１Ａと接する部位から、天板部１１Ａ及び他の壁部に非接触な端辺（以下、開口縁と称す）までの最短距離（以下、側壁長とする）が略均一となるように形成されており、開口縁が略同一平面上に位置することになる。
【００４２】
つまり、本体部１１は、天板部１１Ａ及び４つの壁部１１Ｂ〜１１Ｅにて囲まれた領域が収納空間として形成されると共に、壁部１１Ｂ〜１１Ｅの開口縁に各種アンテナを挿入可能な大きさの開口（以下、収納口とする）が形成されたものである。
【００４３】
また、４つの壁部のうちの一つ（本実施形態では、壁部１１Ｅ、以下、基準壁１１Ｅとする）には、収納空間に収納された各種アンテナで受信した信号を、搭載車両に搭載されている外部機器（例えば、ナビゲーション装置や、ＥＴＣ処理装置等）に伝送するためのケーブル７２（図３参照）を挿通可能な挿通孔１５と、収納空間外へと向けて突出された突起である一対の突出部１６とが形成されている。
【００４４】
なお、基準壁１１Ｅと接し、かつ互いに平行な一対の壁部（本実施形態では、壁部１１Ｂ，壁部１１Ｄ）を、平行壁１１Ｂ，Ｄと称し、基準壁１１Ｅと平行、かつ平行壁１１Ｂ，Ｄと直交する面を基準断面と称す。したがって、本実施形態においては、平行壁１１Ｂ，Ｄが本発明における対向部位となる。
【００４５】
ところで、係合部１２は、平行壁１１Ｂ，１１Ｄそれぞれの一部の部位を構成する支持部１４と、各支持部１４それぞれに突設された係合突起１３とから構成されている。
このうち、支持部１４は、平行壁１１Ｂ，１１Ｄそれぞれにおいて互いに対向する位置に、少なくとも一対以上設けられたものであり、中心部１９と、ガイド部１７と、ストッパ部１８とを備えている。
【００４６】
中心部１９は、平行壁１１Ｂ，１１Ｄの互いに対向する一部の部位として、帯板状に設けられたものであり、ストッパ部１８は、側壁長よりも長辺の長さが短い長尺状に形成され、一端が天板部１１Ａに当接すると共に、中心部１９から収納空間内に向けて突設されている。さらに、ガイド部１７は、ストッパ部１８を挟み込むように、中心部１９から収納空間に向けて突設され、長尺状に形成された一対の部位（図中、１７Ａ，Ｂ）である。
【００４７】
また、係合突起１３は、図５に示すように、基準断面にて切断した断面形状が台形形状に形成され、支持部１４と直交し、かつ収納空間外部（即ち、本体部１１の外部）から収納空間内部（本体部１１の内部）へと向かう方向に沿って突出するように設けられている。ただし、係合突起１３は、当該係合突起１３における一対の平行な辺のうち長辺の一端が開口縁と連続となり、かつストッパ部１８の延長線上となる中心部１９の位置に設けられている。
【００４８】
つまり、係合部１２は、係合突起１３が、平行壁１１Ｂ，Ｄの互いに対向する部位である中心部１９のそれぞれから、収納空間外から収納空間内へと向かう方向に沿って突設されたものであり、中心部１９と係合突起１３とにより、いわゆるスナップフィットを形成している。
【００４９】
〈取付基板〉
次に、取付基板について説明する。
ここで、図６は、取付基板の概略構成を示した斜視図であり、図７は、取付基板に設けられ、後述する被係合部を基準断面にて切断した断面の拡大図である。
【００５０】
図６に示すように、取付基板２０は、ケース１０が取付基板２０に組み付けられた際に、ケース１０に収納されたアンテナを接地する基準部２１と、ケース１０が取付基板２０に固定された際に、ケース１０の係合突起１３が係合される被係合部２２とを備え、これらの各部２１，２２は、金属材料を用いて一体に形成されている。
【００５１】
このうち、基準部２１は、ケース１０の天板部１１Ａでの各辺よりも長い辺を有した略矩形形状に形成された板状の平面部２３と、ケース１０が取付基板２０に固定される時に突出部１６を挿嵌可能な一対の挿嵌部２４と、アンテナユニット５がブラケット３０に係止される時に狭持部３８Ａ、Ｂに狭持される耳部２９とを備えている。
【００５２】
なお、平面部２３には、アンテナユニット５をブラケット３０に固定するための固定孔２７が穿設されている。ただし、固定孔２７は、突起３５を挿嵌可能、かつ係止可能な形状である。
【００５３】
挿嵌部２４は、ケース１０が取付基板２０に固定された際にケース１０が位置する方向（以下、規定方向とする）に向けて、平面部２３の一つの辺から断面形状略「コ」の字型に突出された一対の部位であり、その突出した部位と平面部２３との間に、突出部１６を挿嵌可能な開口を有する。以下では、挿嵌部２４が備えられた辺を基準辺と称す。
【００５４】
さらに、耳部２９は、平面部２３において基準辺と接する一対の平行な辺（以下、対向辺とする）から外側に突設された一対の矩形形状の部位であり、一辺が基準辺と連続するように設けられている。
【００５５】
一方、被係合部２２は、平面部２３から規定方向に突出した一対の突出片２５と、突出片２５それぞれに穿設された開口（以下、係止口とする）を有する開口部２６とを備えている。
【００５６】
突出片２５は、ケース１０が取付基板２０に固定される際に係合部１２と相対、かつ当接する位置に設けられた帯板状の部位である。その突出片２５は、ガイド部１７間よりも狭い間隔で、平面部２３の対向辺と直交するように一対の切り込みを入れ、それらの切り込みにて挟まれた部位を規定方向へと折り曲げることにより形成される。
【００５７】
なお、突出片２５の先端（即ち、平面部２３と接触しない端部）には、図７に示すように、ケース１０が取付基板２０に組み付けられる際に、係合突起１３を開口部２６へと導くための導入部２８が、突出片２５に曲げ加工を施すことで形成されている。
【００５８】
また、開口部２６に穿設された係止口は、突出片２５が縁として残るような位置に、ケース１０を取付基板２０に固定する際に係合突起１３を挿入可能な形状にて、突出片２５を貫通するように設けられている。
【００５９】
つまり、ケース１０に形成された係合部１２（即ち、スナップフィット）と、取付基板２０に形成された被係合部２２とにより取付構造を構成している。
〈取り付け方法〉
次に、各種アンテナを収納したケース１０を取付基板２０に係止する取付方法について説明する。
【００６０】
ＧＰＳ受信アンテナ、ＶＩＣＳ受信アンテナ、ＥＴＣアンテナを収納したケース１０を取付基板２０に係止する場合、作業者は、まず、ケース１０の突出部１６を取付基板２０に形成された挿嵌部２４に挿嵌する。これにより、ケース１０は、基準壁１１Ｅが取付基板２０に当接すると共に、係合突起１３が取付基板２０の導入部２８と当接した状態（以下、第一状態とする）となる。
【００６１】
この第一状態から、ケース１０を取付基板２０に固定した状態とするために、作業者は、さらに、ケース１０を取付基板２０に押し付ける。すると、係合突起１３が導入部２８に沿って開口部２６に向けて移動し、その移動に伴って、ケース１０の支持部１４が、収納空間内から収納空間外へと向かう方向（以下、外向方向とする）に弾性変形、即ち、係合部１２が拡開する（以下、この状態を第二状態とする）。
【００６２】
そして、第二状態から、ケース１０を取付基板２０に固定した状態とするために、さらに、作業者がケース１０を取付基板２０に押し付けると、係合突起１３が開口部２６の係止口に挿入されることになる。この時、ケース１０に加えられていた外向方向の力が解除され、ケース１０が取付基板２０に固定する前（即ち、弾性変形する前）の形状に戻ることになる。
【００６３】
ここで、図８（Ａ）は、図３（Ａ）におけるＡ−Ａ断面図であり、図８（Ｂ）は、図８（Ａ）中の円Ａにて囲まれた領域を拡大した拡大図である。
ケース１０が弾性変形する前の形状に戻ることで、図８に示すように、開口部２６の係止口に挿入された係合突起１３が被係合部２２と当接（係合）し、ケース１０の収納口を閉じるように、ケース１０が取付基板２０に係止（固定）された状態となる。なお、このように、取付基板２０にケース１０が係止された状態となると、取付基板２０の突出片２５は、ケース１０のガイド部１７に挟まれて中心部１９に当接し、さらに、導入部２８がストッパ部１８との間に空間を有した状態となる。
［第一実施形態の効果］
以上説明したように、本実施形態の取付構造によれば、係合突起１３が収納空間外から収納空間内へと向かう方向に沿って突設されているため、固定ユニット１を取付ボス７１に固定する固定作業等のように、ケース１０の平行壁１１Ｂ，Ｄを挟み込んでアンテナユニット５や固定ユニット１が把持されたとしても、ケース１０が取付基板２０から脱落することを防止できる。
【００６４】
なお、本実施形態の取付基板２０によれば、一枚の金属板を折り曲げるだけで、突出片２５を形成し、被係合部２２を設けることができる。これにより、取付基板２０を製造する時の製造工程が容易となり、取付基板２０の製造コストが大幅に増加することを防止することができる。
【００６５】
また、本実施形態のアンテナユニット５では、ケース１０が取付基板２０に固定された時にケース１０が当接する取付基板２０の面（以下、背面とする）から、ケース１０に設けられた係合部１２が突き出ることがない。このため、本実施形態のアンテナユニット５によれば、アンテナユニット５をブラケット３０に固定する固定作業の際に、従来技術と異なり、平面から突き出た係合部１２をブラケット３０に設けられた溝に嵌め込む必要が無いため、固定作業を容易に実施させることができる。
【００６６】
これらのことから、本実施形態の取付構造を有したアンテナユニット５によれば、従来技術と比べて部品点数を増加することが無いため、製造コストや取付作業の工数が大幅に増加することなく、ケース１０と取付基板２０とが外れ難いものを提供することができる。
【００６７】
［第二実施形態］
次に、本発明の第二実施形態について説明する。
第一実施形態に示した固定ユニット１と、第二実施形態における固定ユニットとでは、ケースに設けられた係合部と、取付基板に設けられた被係合部との構成が異なるのみである。このため、第一実施形態に示した固定ユニット１と同様の構成には、同一な符号を付して説明を省略し、第一実施形態とは異なる係合部、及び被係合部を中心に説明する。
【００６８】
ここで、図１２は、第二実施形態において、ケースが取付基板に固定された状態でのケースと取付基板との断面を拡大した拡大図である。
〈係合部〉
第二実施形態におけるケース４５は、本体部１１と、ケース４５を取付基板２０に固定するための係合部４０とを備え、人が把持した時の力で弾性変形する程度の剛性を有した材料（例えば、プラスチック材料等）により一体に形成されている。
【００６９】
その係合部４０は、平行壁１１Ｂ，Ｄそれぞれの開口縁から突設された突設部４１と、突設部４１それぞれに突設された係合突起４２とを備えている。
突設部４１は、帯板状の部位であり、平行壁１１Ｂ，１１Ｄの互いに対向する位置に、内壁及び外壁の両方が平行壁１１Ｂ，１１Ｄそれぞれの内壁及び外壁と連続するように設けられている。
【００７０】
さらに、係合突起４２は、基準断面にて切断した断面形状が台形形状に形成され、突設部４１と直交し、かつ収納空間外部（即ち、本体部１１の外部）から収納空間内部（本体部１１の内部）へと向かう方向に沿って突出するように設けられている。ただし、係合突起４２は、当該係合突起４２における一対の平行な辺のうち長辺の一端が、開口縁に非接触な突設部４１の端側と連続する位置に設けられている。
【００７１】
つまり、係合部４０は、互いに対向する突設部４１のそれぞれから収納空間外から収納空間内へと向かう方向に沿って、係合突起４２が突設されたものであり、突設部４１と係合突起４２とにより、いわゆるスナップフィットを形成している。
〈被係合部〉
また、第二実施形態における取付基板５０は、基準部２１と、ケース４５が取付基板５０に固定された際に、係合突起４２が係合される被係合部５１とを備え、これらの各部２１，５１は、金属材料を用いて一体に形成されている。
【００７２】
このうち、被係合部５１は、ケース４５が取付基板５０に固定される際に、係合突起４２を通過可能な形状に穿設された孔（以下、被係合孔とする）を有した部位である。その被係合孔は、ケース４５が取付基板５０に固定される際に、係合部４０それぞれと相対する平面部２３での位置に、平面部２３を貫通するように設けられている。
【００７３】
次に、ケース４５を取付基板５０に固定する方法について説明する。
ＧＰＳ受信アンテナ、ＶＩＣＳ受信アンテナ、ＥＴＣアンテナを収納したケース４５を取付基板５０に係止する場合、作業者は、まず、ケース４５の突出部１６を取付基板５０に形成された挿嵌部２４に挿嵌する。これにより、ケース４５は、基準壁１１Ｅが取付基板５０に当接すると共に、係合突起４２が平面部２３に当接した状態となる。
【００７４】
この状態にあるケース４５と取付基板５０とから、ケース４５を取付基板５０に固定した状態へと移行するために、作業者は、収納空間内から収納空間外へと向かう方向（以下、外向方向とする）の力をケース４５（より正確には、スナップフィット）に加え、スナップフィットを弾性変形させる。そして、弾性変形した状態のスナップフィットを被係合孔に挿通し、スナップフィットが被係合孔を通過した後、ケース４５に加えられていた外向方向の力を解除する。
【００７５】
これにより、弾性変形していたスナップフィットが、外光方向の力をケース４５に加える前の形状（即ち、元の形状）に戻り、被係合孔の周縁のうち互いに対向する内向きの部位に係合突起４２それぞれが当接し、ケース４５は取付基板５０に係止（固定）される。
【００７６】
［第二実施形態の効果］
以上説明したように、本実施形態の取付構造によれば、取付基板には被係合孔を穿設するのみで良いため、製造コストや製造時の加工工程数が増加することを抑制できる。
【００７７】
なお、本実施形態のアンテナユニットによれば、ブラケット３０を従来技術のブラケットと共用することができる。これにより、固定ユニット全体の製造コストが増加することを抑制できる。
［その他の実施形態］
以上、本発明の実施形態について説明したが、本発明は上記実施形態に限定されるものではなく、本発明の要旨を逸脱しない範囲において様々な態様にて実施することが可能である。
【００７８】
ここで言う上記実施形態とは、第一実施形態、及び第二実施形態の両方を示し、以下、括弧外の数字は第一実施形態での対応箇所を、カッコ内の数字は第二実施形態での対応箇所を示す。
【００７９】
そして、上記実施形態では、ケース１０（４５）に備えられた係合部１２（４０）、及び取付基板２０（５０）に形成された被係合部２２（５１）の数を、一対ずつとしたが、係合部及び被係合部の数は、一対ずつに限るものではなく、例えば、二対ずつでも良いし、それ以上の数でも良い。つまり、係合部及び被係合部の数は、それぞれ少なくとも一対設けられていれば良い。
【００８０】
なお、上記第一実施形態における開口部２６は、突出片２５を貫通するように穿設された係止口を有していたが、開口部が有する係止口は、突出片２５を貫通することなく突出片２５に設けられた凹部（即ち、窪み）であっても良い。つまり、開口部が有する係止口は、係合突起１３を挿嵌可能な形状であり、かつ挿嵌された係合突起１３を係止可能であれば、どのような形状であっても良い。
【００８１】
また、上記実施形態では、ケース１０（４５）は、ＧＰＳ受信アンテナ、ＶＩＣＳ受信アンテナ、ＥＴＣ受信アンテナの全てを収納可能なように形成されていたが、ＧＰＳ受信アンテナ、ＶＩＣＳ受信アンテナ、ＥＴＣ受信アンテナのいずれか一つが収納可能なように形成されていても良い。そして、ケース１０（４５）は、ＧＰＳ受信アンテナ、ＶＩＣＳ受信アンテナ、ＥＴＣ受信アンテナの少なくとも一つに加えて、車載電話網との間で電波を送受信するためのダイポールアンテナ（即ち、車載電話用アンテナ）を収納可能なように形成してものでも良い。
【００８２】
さらに、ケース１０（４５）は、アンテナ以外の物品を収納可能なように形成しても良い。
【図面の簡単な説明】
【００８３】
【図１】固定ユニットの概略構成を示した斜視図である。
【図２】ブラケットの概略構成を示した斜視図である。
【図３】アンテナユニットの概略構成を示した斜視図である。
【図４】ケースの概略構成を示した斜視図である。
【図５】ケースにおける取付構造の拡大断面図である。
【図６】取付基板の概略構成を示した斜視図である。
【図７】取付基板における取付構造の拡大断面図である。
【図８】図３におけるＡ−Ａ断面図である。
【図９】固定ユニットを取付ボスに固定した状態を示した説明図である。
【図１０】従来の取付構造を示した斜視図である。
【図１１】従来の取付構造を説明するための拡大図である。
【図１２】第二実施形態における取付構造を説明するための拡大図である。
【符号の説明】
【００８４】
１…固定ユニット  ５…アンテナユニット  １０，４５…ケース  １１…本体部  １１Ａ…天板部  １１Ｂ〜Ｅ…壁部（１１Ｂ，Ｄ…平行壁、１１Ｅ…基準壁）  １２，４０…係合部  １３，４２…係合突起  １４…支持部  １５…挿通孔  １６…突出部  １７…ガイド部  １８…ストッパ部  １９…中心部  ２０，５０…取付基板  ２１…基準部  ２２，５１…被係合部  ２３…平面部  ２４…挿嵌部  ２５…突出片  ２６…開口部  ２７…固定孔  ２８…導入部  ２９…耳部  ３０…ブラケット  ７０…インストルメントパネル  ４２…突設部  ７１…取付ボス  ８０…締結具
【図１】
2009101721.tif 000003
【図２】
2009101721.tif 000004
【図３】
2009101721.tif 000005
【図４】
2009101721.tif 000006
【図５】
2009101721.tif 000007
【図６】
2009101721.tif 000008
【図７】
2009101721.tif 000009
【図８】
2009101721.tif 000010
【図９】
2009101721.tif 000011
【図１０】
2009101721.tif 000012
【図１１】
2009101721.tif 000013
【図１２】
2009101721.tif 000014